(57)【要約】【課題】乗場インジケータの輝度の異常をより正確に判定することができる乗場インジケータ点検システムを得る。【解決手段】乗場インジケータ１の輝度を測定する輝度測定装置２と、輝度測定装置２の測定結果に基づいて、乗場インジケータ１の輝度の異常を判定する乗場インジケータ異常判定装置５２とを備え、乗場インジケータ異常判定装置５２は、予め測定された輝度測定装置２の測定結果と、新たに測定された輝度測定装置２の測定結果とを比較して、乗場インジケータ１の輝度の異常を判定する。【選択図】図１
2019210081.tif 000002
【特許請求の範囲】
【請求項１】
乗場インジケータの輝度を測定する輝度測定装置と、
前記輝度測定装置の測定結果に基づいて、前記乗場インジケータの輝度の異常の有無を判定する乗場インジケータ異常判定装置と
を備えている乗場インジケータ点検システム。
【請求項２】
前記乗場インジケータ異常判定装置は、予め測定された前記輝度測定装置の測定結果と、新たに測定された前記輝度測定装置の測定結果とを比較して、前記乗場インジケータの輝度の異常の有無を判定する請求項１に記載の乗場インジケータ点検システム。
【請求項３】
前記乗場インジケータは、複数の階のそれぞれに対応する複数の点灯体を有し、
前記輝度測定装置は、複数の前記点灯体のそれぞれに対応して設けられ対応する前記点灯体の輝度を測定する複数の輝度測定部を有し、
前記乗場インジケータ異常判定装置は、複数の前記輝度測定部のそれぞれの測定結果を互いに比較して、前記乗場インジケータの輝度の異常の有無を判定する請求項１または請求項２に記載の乗場インジケータ点検システム。
【請求項４】
前記乗場インジケータは、複数の階のそれぞれに対応して設けられており、
前記輝度測定装置は、複数の前記乗場インジケータのそれぞれに対応して設けられており、
前記乗場インジケータ異常判定装置は、複数の前記輝度測定装置のそれぞれの測定結果を互いに比較して、複数の前記乗場インジケータのそれぞれの輝度の異常の有無を判定する請求項１から請求項３までの何れか一項に記載の乗場インジケータ点検システム。
【請求項５】
前記乗場インジケータは、複数の階のそれぞれに対応する複数の点灯体と、複数の前記点灯体のそれぞれが取り付けられる複数のソケットとを有し、
前記輝度測定装置は、複数の前記点灯体のそれぞれに対応して設けられ対応する前記点灯体の輝度を測定する複数の輝度測定部を有し、
前記輝度測定部は、前記輝度測定部に対応する前記ソケットに取り付けられる請求項１から請求項４までの何れか一項に記載の乗場インジケータ点検システム。
【請求項６】
前記乗場インジケータに供給される電流の量を測定する電流測定装置をさらに備え、
前記乗場インジケータ異常判定装置は、前記電流測定装置の測定結果に基づいて、前記乗場インジケータの点灯不能の有無を判定する請求項１から請求項５までの何れか一項に記載の乗場インジケータ点検システム。
【発明の詳細な説明】
【技術分野】
【０００１】
この発明は、乗場インジケータの点灯を点検する乗場インジケータ点検システムに関する。
【背景技術】
【０００２】
従来、乗場インジケータの点灯の有無を検出する光センサと、光センサの検出結果に基づいて、乗場インジケータの異常の有無を判定するエレベーター制御盤とを備えた乗場インジケータ点検システムが知られている（例えば、特許文献１参照）。
【先行技術文献】
【特許文献】
【０００３】
【特許文献１】特開平３−１６２３７６号公報
【発明の概要】
【発明が解決しようとする課題】
【０００４】
しかしながら、乗場インジケータが点灯している場合であって、乗場インジケータの輝度に異常が発生した場合に、乗場インジケータの輝度の異常を判定することができないという問題点があった。
【０００５】
この発明は、上述のような課題を解決するためになされたものであり、その目的は、乗場インジケータの輝度の異常をより正確に判定することができる乗場インジケータ点検システムを提供するものである。
【課題を解決するための手段】
【０００６】
この発明に係る乗場インジケータ点検システムは、乗場インジケータの輝度を測定する輝度測定装置と、輝度測定装置の測定結果に基づいて、乗場インジケータの輝度の異常を判定する乗場インジケータ異常判定装置とを備えている。
【発明の効果】
【０００７】
この発明に係る乗場インジケータ点検システムによれば、輝度測定装置が乗場インジケータの輝度を測定し、乗場インジケータ異常判定装置が、輝度測定装置の測定結果に基づいて、乗場インジケータの輝度の異常を判定する。これにより、乗場インジケータの輝度の異常をより正確に判定することができる。
【図面の簡単な説明】
【０００８】
【図１】この発明の実施の形態１に係る乗場インジケータ点検システムを示すブロック図である。
【図２】図１の乗場インジケータ、処理基板、エレベーター制御盤、情報センタおよびメンテナンスコンピュータを示すブロック図である。
【図３】図１の乗場インジケータ、輝度測定装置、電流測定装置および処理基板を示す構成図である。
【図４】図３の乗場インジケータおよび輝度測定装置を示す構成図である。
【図５】図１の乗場インジケータ点検システムの動作を示すフローチャートである。
【発明を実施するための形態】
【０００９】
実施の形態１．
図１は、この発明の実施の形態１に係る乗場インジケータ点検システムを示すブロック図である。この発明の実施の形態１に係る乗場インジケータ点検システムは、乗場インジケータ１と、乗場インジケータ１の輝度を測定する輝度測定装置２と、乗場インジケータ１に供給される電流の量を測定する電流測定装置３と、輝度測定装置２の測定結果および電流測定装置３の測定結果のそれぞれが入力される処理基板４とを備えている。
【００１０】
図１では、乗場インジケータ１、輝度測定装置２、電流測定装置３および処理基板４のそれぞれが１個ずつ示されているが、乗場インジケータ１、輝度測定装置２、電流測定装置３および処理基板４のそれぞれは、複数の階のそれぞれに１個ずつ設けられる。
【００１１】
輝度測定装置２は、複数の乗場インジケータ１のそれぞれに対応して設けられている。複数の輝度測定装置２のそれぞれは、輝度測定装置２に対応する乗場インジケータ１の輝度を測定する。
【００１２】
電流測定装置３は、複数の乗場インジケータ１のそれぞれに対応して設けられている。複数の電流測定装置３のそれぞれは、電流測定装置３に対応する乗場インジケータ１に供給される電流の量を測定する。
【００１３】
また、乗場インジケータ点検システムは、処理基板４を介して、輝度測定装置２の測定結果および電流測定装置３の測定結果のそれぞれが入力されるエレベーター制御盤５と、エレベーター制御盤５との間で通信を行う情報センタ６と、保守作業者に所持され、エレベーター制御盤５との間で通信を行うメンテナンスコンピュータ７とを備えている。
【００１４】
図２は、図１の乗場インジケータ１、処理基板４、エレベーター制御盤５、情報センタ６およびメンテナンスコンピュータ７を示すブロック図である。エレベーター制御盤５は、制御部本体５１と、乗場インジケータ１の輝度の異常の有無および乗場インジケータ１の点灯不能の有無を判定する乗場インジケータ異常判定装置５２と、乗場インジケータ１の異常を示す異常信号を情報センタ６またはメンテナンスコンピュータ７に発報する発報装置５３とを有している。
【００１５】
制御部本体５１は、乗場インジケータ１の点灯および消灯を制御する。制御部本体５１は、メンテナンスコンピュータ７との間で通信を行う。制御部本体５１は、乗場インジケータ異常判定装置５２および発報装置５３のそれぞれを制御する。
【００１６】
乗場インジケータ異常判定装置５２は、輝度測定装置２の測定結果および電流測定装置３の測定結果が入力される。乗場インジケータ異常判定装置５２は、輝度測定装置２の測定結果に基づいて、乗場インジケータ１の輝度の異常の有無を判定する。乗場インジケータ異常判定装置５２は、電流測定装置３の測定結果に基づいて、乗場インジケータ１の点灯不能の有無を判定する。
【００１７】
発報装置５３は、乗場インジケータ１の輝度が異常であると乗場インジケータ異常判定装置５２が判定した場合に、異常信号を情報センタ６またはメンテナンスコンピュータ７に発報する。発報装置５３は、乗場インジケータ１が点灯不能であると乗場インジケータ異常判定装置５２が判定した場合に、異常信号を情報センタ６またはメンテナンスコンピュータ７に発報する。
【００１８】
図３は、図１の乗場インジケータ１、輝度測定装置２、電流測定装置３および処理基板４を示す構成図である。乗場インジケータ１は、複数の階のそれぞれに対応する複数の点灯体１１を有している。図３では、１階から６階までに対応する点灯体１１を示している。点灯体１１は、白熱電球から構成されている。なお、点灯体１１は、白熱電球に限らず、例えば、蛍光灯などであってもよい。
【００１９】
輝度測定装置２は、複数の点灯体１１のそれぞれに対応して設けられた複数の輝度測定部２１を有している。複数の輝度測定部２１のそれぞれは、輝度測定部２１に対応する点灯体１１の輝度を測定する。
【００２０】
図４は、図３の乗場インジケータ１および輝度測定装置２を示す構成図である。乗場インジケータ１は、複数の点灯体１１のそれぞれが取り付けられる複数のソケット１２を有している。図４では、点灯体１１およびソケット１２のそれぞれを１個ずつ示している。点灯体１１に接続される配線と、輝度測定部２１に接続される配線とは、互いにまとめられている。
【００２１】
輝度測定部２１は、輝度測定部２１に対応するソケット１２に取り付けられる。隣り合う一対のソケット１２の間には、点灯体１１から発せられる光を遮る遮光壁１３が形成されている。したがって、輝度測定部２１の測定精度が向上する。
【００２２】
次に、乗場インジケータ１の輝度の変化について説明する。設置当初の乗場インジケータ１の輝度と、点灯体１１が長期間に渡って使用されて、点灯不能となる直前の乗場インジケータ１の輝度との間には、差が発生する。点灯体１１が白熱電球であるので、点灯不能となる直前の乗場インジケータ１の輝度は、設置当初の乗場インジケータ１の輝度と比較して高くなる。
【００２３】
なお、点灯体１１が蛍光灯である場合には、点灯不能となる直前の乗場インジケータ１の輝度は、設置当初の乗場インジケータ１の輝度と比較して低くなる。乗場インジケータ異常判定装置５２には、点灯体１１の種類が予め設定可能となっている。
【００２４】
次に、乗場インジケータ異常判定装置５２による乗場インジケータ１の輝度の異常の有無の判定について説明する。乗場インジケータ異常判定装置５２には、設置当初に輝度測定装置２によって予め測定された測定結果が記憶されている。また、乗場インジケータ異常判定装置５２には、点検運転時に輝度測定装置２によって新たに測定された輝度測定装置２の測定結果が入力される。また、乗場インジケータ異常判定装置５２には、かごの位置を示す情報が入力される。乗場インジケータ異常判定装置５２は、予め測定された輝度測定装置２の測定結果と、新たに測定された輝度測定装置２の測定結果とを比較して、乗場インジケータ１の輝度の異常の有無を判定する。
【００２５】
また、乗場インジケータ異常判定装置５２は、同一の輝度測定装置２の中で、複数の輝度測定部２１のそれぞれの測定結果を互いに比較して、乗場インジケータ１の輝度の異常の有無を判定する。
【００２６】
また、乗場インジケータ異常判定装置５２は、複数の輝度測定装置２のそれぞれの測定結果を互いに比較して、複数の乗場インジケータ１のそれぞれの輝度の異常の有無を判定する。
【００２７】
次に、乗場インジケータ異常判定装置５２による乗場インジケータ１の点灯不能の有無の判定について説明する。乗場インジケータ異常判定装置５２には、電流測定装置３の測定結果が入力される。乗場インジケータ異常判定装置５２は、電流測定装置３の測定結果に基づいて、乗場インジケータ１の点灯不能の有無を判定する。
【００２８】
次に、乗場インジケータ点検システムを用いた乗場インジケータ１の点検について説明する。図５は、図１の乗場インジケータ点検システムの動作を示すフローチャートである。まず、ステップＳ１０１において、輝度診断運転工程を行う。輝度診断運転工程では、かごを全ての階に渡って移動させ、かごがある階に対応する点灯体１１の輝度を測定し、かごがある階に対応する点灯体１１に供給される電流の量を測定する。なお、輝度診断運転工程では、かごを移動させることなく、点灯体１１を点灯させて、点灯体１１の輝度を測定し、点灯体１１に供給される電流の量を測定してもよい。
【００２９】
輝度診断運転工程の開始は、予め設定された日時になった場合に行われる。なお、輝度診断運転工程は、これに限らず、例えば、情報センタ６から輝度診断運転工程を行う信号がエレベーター制御盤５に入力された場合、または、メンテナンスコンピュータ７から輝度診断運転工程を行う信号がエレベーター制御盤５に入力された場合に、輝度診断運転工程を開始してもよい。
【００３０】
その後、ステップＳ１０２において、乗場インジケータ異常判定装置５２は、乗場インジケータ１の点灯不能の有無を判定する。
【００３１】
ステップＳ１０２において、乗場インジケータ１が点灯不能であると判定された場合に、ステップＳ１０３において、点灯不能発報工程を行う。点灯不能発報工程では、異常信号が発報装置５３から情報センタ６またはメンテナンスコンピュータ７に送られる。この場合に、発報装置５３から情報センタ６またはメンテナンスコンピュータ７に発報される異常信号には、乗場インジケータ１が点灯不能であることを示す情報、点灯不能である乗場インジケータ１を特定する情報、特定された乗場インジケータ１の中で、点灯不能である点灯体１１を特定する情報などが含まれる。
【００３２】
その後、ステップＳ１０４において、乗場インジケータ異常判定装置５２は、乗場インジケータ１の輝度の異常の有無を判定する。
【００３３】
ステップＳ１０４において、乗場インジケータ１の輝度に異常があると判定された場合には、ステップＳ１０５において、輝度異常発報工程を行う。輝度異常発報工程では、異常信号が発報装置５３から情報センタ６またはメンテナンスコンピュータ７に送られる。この場合に、発報装置５３から情報センタ６またはメンテナンスコンピュータ７に発報される異常信号には、乗場インジケータ１の輝度が異常であることを示す情報、輝度が異常である乗場インジケータ１を特定する情報、特定された乗場インジケータ１の中で、輝度が異常である点灯体１１を特定する情報などが含まれる。ステップＳ１０５の後、乗場インジケータ点検システムを用いた乗場インジケータ１の点検が終了する。
【００３４】
一方、ステップＳ１０４において、乗場インジケータの輝度に異常がないと判定された場合には、そのまま、乗場インジケータ点検システムを用いた乗場インジケータ１の点検が終了する。
【００３５】
一方、ステップＳ１０２において、乗場インジケータ１が点灯不能ではないと判定された場合には、ステップＳ１０４に進む。
【００３６】
以上説明したように、この発明の実施の形態１に係る乗場インジケータ点検システムによれば、乗場インジケータ１の輝度を測定する輝度測定装置２と、輝度測定装置２の測定結果に基づいて、乗場インジケータ１の輝度の異常の有無を判定する乗場インジケータ異常判定装置５２とを備えている。これにより、乗場インジケータ１の輝度の異常をより正確に判定することができる。
【００３７】
また、乗場インジケータ異常判定装置５２は、予め測定された輝度測定装置２の測定結果と、新たに測定された輝度測定装置２の測定結果とを比較して、乗場インジケータ１の輝度の異常の有無を判定する。これにより、乗場インジケータ１が点灯不能となる前に、乗場インジケータ１を交換して、乗場インジケータ１が点灯不能となることを低減させることができる。
【００３８】
また、乗場インジケータ異常判定装置５２は、同一の輝度測定装置２の中で、複数の輝度測定部２１のそれぞれの測定結果を互いに比較して、乗場インジケータ１の輝度の異常の有無を判定する。これにより、同一の乗場インジケータ１における複数の点灯体１１の中で、他の点灯体１１の輝度に対して輝度が大きく異なる点灯体１１を容易に見つけることができる。
【００３９】
また、乗場インジケータ異常判定装置５２は、複数の輝度測定装置２のそれぞれの測定結果を互いに比較して、複数の乗場インジケータ１のそれぞれの輝度の異常の有無を判定する。これにより、複数の乗場インジケータ１の中で、他の乗場インジケータ１の輝度に対して輝度が大きく異なる乗場インジケータ１を容易に見つけることができる。
【００４０】
また、乗場インジケータ１は、複数の階のそれぞれに対応する複数の点灯体１１と、複数の点灯体１１のそれぞれが取り付けられる複数のソケット１２とを有している。輝度測定装置２は、複数の点灯体１１のそれぞれに対応して設けられ対応する点灯体１１の輝度を測定する複数の輝度測定部２１を有している。輝度測定部２１は、輝度測定部２１に対応するソケット１２に取り付けられる。これにより、輝度測定部２１は、ソケット１２に取り付けたまま、点灯体１１を交換することができる。
【００４１】
また、この乗場インジケータ点検システムは、乗場インジケータ１に供給される電流の量を測定する電流測定装置３を備えている。乗場インジケータ異常判定装置５２は、電流測定装置３の測定結果に基づいて、乗場インジケータ１の点灯不能の有無を判定する。これにより、乗場インジケータ１の点灯不能の有無をより正確に判定することができる。
【符号の説明】
【００４２】
１  乗場インジケータ、２  輝度測定装置、３  電流測定装置、４  処理基板、５  エレベーター制御盤、６  情報センタ、７  メンテナンスコンピュータ、１１  点灯体、１２  ソケット、１３  遮光壁、２１  輝度測定部、５１  制御部本体、５２  乗場インジケータ異常判定装置、５３  発報装置。
【図１】
2019210081.tif 000003
【図２】
2019210081.tif 000004
【図３】
2019210081.tif 000005
【図４】
2019210081.tif 000006
【図５】
2019210081.tif 000007